(57)【要約】【課題】複数の生産拠点と開発部門等の間で、ホワイトバランス調整に使用する計測器が異なっている場合でも、計測器のずれ分を校正してより精度の高い計測データを提供する。【解決手段】拠点サーバ２３は、分光放射輝度計１２によりホワイトバランス調整を行った標準サンプル１１に対して、分光放射輝度計１２による第１の計測データと、カラーアナライザ２２による第２の計測データとのずれに基づく校正用データを算出し、製品２１に対してカラーアナライザ２２によりホワイトバランス調整を行ったときの拠点計測データ及び校正用データをセンターサーバ３０にアップロードする。センターサーバ３０は、拠点サーバ２３からアップロードされた拠点計測データ及び校正用データを生産拠点毎に記憶し、端末装置１３からの要求に応じて、記憶した拠点計測データを校正用データにより校正し、校正後の拠点計測データを端末装置１３に送信する。【選択図】図１
2014087037.tif 000002
【特許請求の範囲】
【請求項１】
複数の生産拠点それぞれに設置された各拠点サーバと、センターサーバと、端末装置とがネットワークを介して接続された計測データ校正システムであって、
前記各拠点サーバは、基準計測器によりホワイトバランス調整を行った所定の表示装置に対して、前記基準計測器による第１の計測データと、生産拠点毎の拠点計測器による第２の計測データとのずれに基づく校正用データを算出する校正用データ算出手段と、
生産拠点で生産される表示装置に対して前記拠点計測器によりホワイトバランス調整を行ったときの拠点計測データ及び前記校正用データを前記センターサーバにアップロードするアップロード手段とを備え、
前記センターサーバは、前記各拠点サーバからアップロードされた前記拠点計測データ及び前記校正用データを生産拠点毎に記憶する記憶手段と、
前記端末装置からの要求に応じて、前記記憶手段に記憶されている前記拠点計測データを前記校正用データにより校正するデータ校正手段と、
該データ校正手段による校正後の前記拠点計測データを前記端末装置に送信するデータ送信手段とを備えたことを特徴とする計測データ校正システム。
【請求項２】
請求項１に記載の計測データ校正システムにおいて、前記第１の計測データ及び前記第２の計測データは、前記所定の表示装置の少なくとも輝度データ及び色度データを含み、前記拠点計測データは、前記生産拠点で生産される表示装置のホワイトバランス調整前後の少なくとも輝度データ及び色度データを含むことを特徴とする計測データ校正システム。
【請求項３】
請求項２に記載の計測データ校正システムにおいて、前記校正用データ算出手段は、前記第１の計測データに含まれる輝度データ及び色度データから第１の三刺激値を算出すると共に、前記第２の計測データに含まれる輝度データ及び色度データから第２の三刺激値を算出し、前記第１の三刺激値と前記第２の三刺激値とのずれに基づく補正係数を、前記校正用データとして算出することを特徴とする計測データ校正システム。
【請求項４】
請求項１〜３のいずれか１項に記載の計測データ校正システムにおいて、前記基準計測器は、分光放射輝度計であり、前記拠点計測器は、カラーアナライザであることを特徴とする計測データ校正システム。
【請求項５】
複数の生産拠点それぞれに設置された各拠点サーバと、センターサーバと、端末装置とがネットワークを介して接続された計測データ校正システムによる計測データ校正方法であって、
前記各拠点サーバが、基準計測器によりホワイトバランス調整を行った所定の表示装置に対して、前記基準計測器による第１の計測データと、生産拠点毎の拠点計測器による第２の計測データとのずれに基づく校正用データを算出する校正用データ算出ステップと、
生産拠点で生産される表示装置に対して前記拠点計測器によりホワイトバランス調整を行ったときの拠点計測データ及び前記校正用データを前記センターサーバにアップロードするアップロードステップとを備え、
前記センターサーバが、前記各拠点サーバからアップロードされた前記拠点計測データ及び前記校正用データを生産拠点毎に記憶手段に記憶するステップと、
前記端末装置からの要求に応じて、前記記憶手段に記憶されている前記拠点計測データを前記校正用データにより校正するデータ校正ステップと、
該データ校正ステップにて校正後の前記拠点計測データを前記端末装置に送信するデータ送信ステップとを備えたことを特徴とする計測データ校正方法。
【発明の詳細な説明】
【技術分野】
【０００１】
本発明は、計測データ校正システム及び方法に関し、より詳細には、表示装置のホワイトバランス調整を行ったときの計測データを校正する計測データ校正システム及び該システムによる計測データ校正方法に関する。
【背景技術】
【０００２】
従来、薄型表示装置の一つである液晶テレビの生産ラインでは、液晶パネル間の色度のばらつきを補正するためにホワイトバランス調整が行われている。このホワイトバランス調整では、Ｒ映像信号とＧ映像信号とＢ映像信号からなる基準映像（テストパターン）を入力し、この基準映像の画面上の色度を所定の計測器により計測し、計測した色度が許容範囲内に収まるように、Ｒ，Ｇ，Ｂの各値を調整するための調整値が設定される。
【０００３】
例えば、特許文献１には、液晶テレビの生産ラインにおけるホワイトバランス調整等の画質調整工程を効率的に行うための技術が記載されている。この特許文献１に記載の技術によれば、画質調整装置が、調整対象の液晶パネルのＲＯＭに個体識別子を記録し、測定処理及び補正データの生成処理を実行し、個体識別子に関連付けて、補正情報管理サーバに補正データの登録処理を実行する。また、書込装置が、調整対象の液晶パネルのＲＯＭから個体識別子の読み込み処理を実行し、ＲＯＭに個体識別子が記録されており、未処理の補正データが登録されている場合、補正情報管理サーバから補正データの取得処理を実行し、取得した補正データを液晶パネルのＲＯＭに書き込む処理を実行する。
【０００４】
ところで、このような液晶テレビの生産は、国内拠点のみならず、海外拠点を含む複数の生産拠点で行うことが多くなってきた。そして、各生産拠点における液晶テレビの生産ラインでは、上述したホワイトバランス調整が行われているが、各生産拠点でホワイトバランス調整を行ったときの計測データ（例えば、輝度データや色度データなど）は、特に、新製品などの場合には、設計上重要なデータとなる。このため、液晶テレビの開発部門等では、必要に応じて、各生産拠点の計測データを各生産拠点から取得していた。
【先行技術文献】
【特許文献】
【０００５】
【特許文献１】特開２０１２−５３５７９号公報
【発明の概要】
【発明が解決しようとする課題】
【０００６】
しかしながら、上記のように、開発部門等が各生産拠点からそれぞれの計測データを取得するのは手間がかかり、効率的ではない。このため、各生産拠点の計測データを、サーバにより一元的に管理することが考えられる。すなわち、開発部門等の技術担当者は自端末からサーバにアクセスすることで、各生産拠点での計測データを効率的に取得することができる。
【０００７】
上記において、サーバを導入して複数の生産拠点の計測データを一元的に管理する場合、次のような問題がある。通常、生産拠点では、ホワイトバランス調整時に高速測定を目的として、フィルタ式のカラーアナライザを使用することが多い。カラーアナライザは、ｘ，ｙ，ｚの等色関数の波長特性に近い分光フィルタを備えた３つのセンサにより液晶テレビの画面上の輝度、色度を計測する機器である。しかし、このカラーアナライザは、ｘ，ｙ，ｚの等色関数が持つマイナスの分光感度を模擬することはできないため、様々な発光特性を有する被測定物全てに対して測定精度を確保することは困難である。
【０００８】
一方、開発部門では、ホワイトバランス調整の際に、上記のカラーアナライザよりも高精度な計測を行うことができる分光放射輝度計を使用することが多い。このため、開発部門にて、各生産拠点の計測データをサーバから取得したとしても、開発部門と各生産拠点とでは計測器が異なっているため、計測データにずれが生じ、適切な評価をすることができない。従って、このずれ分を校正することが望ましいが、従来のシステムでは、このような校正を行うようにはなっていない。
【０００９】
本発明は、上述のような実情に鑑みてなされたもので、複数の生産拠点と開発部門等の間で、ホワイトバランス調整に使用する計測器が異なっている場合でも、計測器のずれ分を校正してより精度の高い計測データを提供することができる計測データ校正システム及び該システムによる計測データ校正方法を提供することを目的とする。
【課題を解決するための手段】
【００１０】
上記課題を解決するために、本発明の第１の技術手段は、複数の生産拠点それぞれに設置された各拠点サーバと、センターサーバと、端末装置とがネットワークを介して接続された計測データ校正システムであって、前記各拠点サーバは、基準計測器によりホワイトバランス調整を行った所定の表示装置に対して、前記基準計測器による第１の計測データと、生産拠点毎の拠点計測器による第２の計測データとのずれに基づく校正用データを算出する校正用データ算出手段と、生産拠点で生産される表示装置に対して前記拠点計測器によりホワイトバランス調整を行ったときの拠点計測データ及び前記校正用データを前記センターサーバにアップロードするアップロード手段とを備え、前記センターサーバは、前記各拠点サーバからアップロードされた前記拠点計測データ及び前記校正用データを生産拠点毎に記憶する記憶手段と、前記端末装置からの要求に応じて、前記記憶手段に記憶されている前記拠点計測データを前記校正用データにより校正するデータ校正手段と、該データ校正手段による校正後の前記拠点計測データを前記端末装置に送信するデータ送信手段とを備えたことを特徴としたものである。
【００１１】
第２の技術手段は、第１の技術手段において、前記第１の計測データ及び前記第２の計測データは、前記所定の表示装置の少なくとも輝度データ及び色度データを含み、前記拠点計測データは、前記生産拠点で生産される表示装置のホワイトバランス調整前後の少なくとも輝度データ及び色度データを含むことを特徴としたものである。
【００１２】
第３の技術手段は、第２の技術手段において、前記校正用データ算出手段は、前記第１の計測データに含まれる輝度データ及び色度データから第１の三刺激値を算出すると共に、前記第２の計測データに含まれる輝度データ及び色度データから第２の三刺激値を算出し、前記第１の三刺激値と前記第２の三刺激値とのずれに基づく補正係数を、前記校正用データとして算出することを特徴としたものである。
【００１３】
第４の技術手段は、第１〜第３のいずれか１の技術手段において、前記基準計測器は、分光放射輝度計であり、前記拠点計測器は、カラーアナライザであることを特徴としたものである。
【００１４】
第５の技術手段は、複数の生産拠点それぞれに設置された各拠点サーバと、センターサーバと、端末装置とがネットワークを介して接続された計測データ校正システムによる計測データ校正方法であって、前記各拠点サーバが、基準計測器によりホワイトバランス調整を行った所定の表示装置に対して、前記基準計測器による第１の計測データと、生産拠点毎の拠点計測器による第２の計測データとのずれに基づく校正用データを算出する校正用データ算出ステップと、生産拠点で生産される表示装置に対して前記拠点計測器によりホワイトバランス調整を行ったときの拠点計測データ及び前記校正用データを前記センターサーバにアップロードするアップロードステップとを備え、前記センターサーバが、前記各拠点サーバからアップロードされた前記拠点計測データ及び前記校正用データを生産拠点毎に記憶手段に記憶するステップと、前記端末装置からの要求に応じて、前記記憶手段に記憶されている前記拠点計測データを前記校正用データにより校正するデータ校正ステップと、該データ校正ステップにて校正後の前記拠点計測データを前記端末装置に送信するデータ送信ステップとを備えたことを特徴としたものである。
【発明の効果】
【００１５】
本発明によれば、基準計測器によりホワイトバランス調整を行った所定の表示装置（標準サンプル）に対して、基準計測器による第１の計測データと、各生産拠点の拠点計測器による第２の計測データとのずれに基づく校正用データを算出することができるため、複数の生産拠点と開発部門等の間で、ホワイトバランス調整に使用する計測器が異なっている場合でも、計測器のずれ分を校正してより精度の高い計測データを提供することができる。
【図面の簡単な説明】
【００１６】
【図１】本発明の一実施形態に係る計測データ校正システムの構成例を示す図である。
【図２】図１に示すセンターサーバの構成例を示すブロック図である。
【図３】拠点サーバ及びセンターサーバの機能的な構成例を示すブロック図である。
【図４】端末装置に表示されるモデル名検索画面の一例を示す図である。
【図５】端末装置に表示されるデータ取得条件設定画面の一例を示す図である。
【図６】端末装置に表示されるグラフの一例を示す図である。
【図７】本発明による計測データ校正方法の一例を説明するためのフロー図である。
【発明を実施するための形態】
【００１７】
以下、添付図面を参照しながら、本発明の計測データ校正システム及び該システムによる計測データ校正方法に係る好適な実施の形態について説明する。
【００１８】
図１は、本発明の一実施形態に係る計測データ校正システムの構成例を示す図で、図中、１０は開発部門、１０′は品質管理部門、１１は標準サンプル、１２は分光放射輝度計、１３，１３′は端末装置、２０は生産拠点Ａ，２１は製品、２２はカラーアナライザ、２３は拠点サーバ、３０はセンターサーバを示す。端末装置１３，１３′、拠点サーバ２３、及びセンターサーバ３０とはＬＡＮ（Local Area Network）やインターネット等のネットワークＮを介して接続されている。標準サンプル１１及び製品２１は、例えば、液晶テレビとして示すことができる。この標準サンプル１１は、本発明による所定の表示装置の一例であり、液晶テレビの１つのモデル（機種）を量産するにあたり、当該モデルの各種評価を行い、データを取得するために予め準備されたものである。従って、基本的な構成は、量産品である製品２１と同様である。
【００１９】
開発部門１０では、開発担当者が、基準映像を表示させた状態の標準サンプル１１に対して、本発明の基準計測器の一例である分光放射輝度計１２を用いて画面上の輝度及び色度を計測しながら、ホワイトバランス調整を行う。そして、端末装置１３は、開発担当者の操作に従って、標準サンプル１１のホワイトバランス調整後の第１の計測データを記憶する。すなわち、この第１の計測データとは、分光放射輝度計１２により計測されたデータであって、標準サンプル１１の少なくとも輝度データ（ｃｄ／ｍ2）及び色度データ（ｘ，ｙ）を含むデータである。なお、標準サンプル１１に対するホワイトバランス調整を自動的に行うようにしてもよい。この場合、分光放射輝度計１２による計測結果は自動的に端末装置１３に記憶される。
【００２０】
次に、開発部門１０にてホワイトバランス調整された標準サンプル１１は、開発部門１０から生産拠点Ａに配送される。そして、生産拠点Ａでは、生産担当者が、標準サンプル１１に対して、本発明の拠点計測器の一例であるカラーアナライザ２２を用いて画面上の輝度及び色度を計測する。ここで、標準サンプル１１の画面上に表示させる映像は、開発部門１０でホワイトバランス調整を行ったときの基準映像と同じである。拠点サーバ２３は、生産担当者の操作に従って、標準サンプル１１の第２の計測データを登録する。すなわち、この第２の計測データとは、カラーアナライザ２２により計測されたデータであって、標準サンプル１１の少なくとも輝度データ（ｃｄ／ｍ2）及び色度データ（ｘ，ｙ）を含むデータである。なお、標準サンプル１１に対する計測処理を自動的に行うようにしてもよい。この場合、カラーアナライザ２２による計測結果は自動的に拠点サーバ２３に登録される。
【００２１】
なお、他の生産拠点Ｂ，Ｃ，…についても、生産拠点Ａと同様の構成を有している。標準サンプル１１は、生産拠点Ａから生産拠点Ｂに配送され、生産拠点Ｂにて、生産拠点Ａと同様の計測処理が実施される。生産拠点Ｃ以降についても同様である。このようにして複数の生産拠点Ａ，Ｂ，Ｃ，…において、共通の標準サンプル１１に対してカラーアナライザにより計測された第２の計測データがそれぞれの拠点サーバに登録される。
【００２２】
一方、生産拠点Ａでは、生産拠点で生産される表示装置の一例である製品２１に対してカラーアナライザ２２によりホワイトバランス調整を行ったときの拠点計測データが拠点サーバ２３に登録される。この拠点計測データは、生産拠点Ａで生産される製品２１のホワイトバランス調整前後の少なくとも輝度データ（ｃｄ／ｍ2）及び色度データ（ｘ，ｙ）を含むものとする。他の生産拠点Ｂ，Ｃ，…についても同様である。このようにして複数の生産拠点Ａ，Ｂ，Ｃ，…において、各生産拠点で生産された製品に対してカラーアナライザによりホワイトバランス調整を行ったときの拠点計測データがそれぞれの拠点サーバに登録される。
【００２３】
そして、各生産拠点の各拠点サーバに登録された拠点計測データは、後述するように、定期的にセンターサーバ３０にアップロードされ、センターサーバ３０にて生産拠点毎に登録される。
【００２４】
また、開発部門１０の端末装置１３には、上述したように、標準サンプル１１に対して分光放射輝度計１２により計測された第１の計測データが記憶されている。端末装置１３は、開発担当者の操作に従って、各生産拠点の拠点サーバ２３にアクセスし、この第１の計測データを各拠点サーバ２３に登録する処理を行う。これにより、生産拠点Ａの拠点サーバ２３には、分光放射輝度計１２によりホワイトバランス調整を行った標準サンプル１１について、分光放射輝度計１２による第１の計測データと、生産拠点毎のカラーアナライザ２２による第２の計測データとが登録される。他の生産拠点Ｂ，Ｃ，…の拠点サーバについても同様である。
【００２５】
図２は、図１に示すセンターサーバ３０の構成例を示すブロック図である。センターサーバ３０は、汎用的なコンピュータ装置として構成され、拠点サーバ２３、端末装置１３，１３′についても基本的なハードウェア構成は同じである。すなわち、センターサーバ３０は、全体の動作を制御するＣＰＵ（Central Processing Unit）３１と、制御プログラムや各種アプリケーションプログラムの実行領域であるＲＡＭ（Random Access Memory）３２と、制御プログラムやデータ等を格納するＲＯＭ（Read Only Memory）３３と、各種アプリケーションプログラムやデータ等を記憶するハードディスクドライブなどの記憶部３４と、キーボードやマウスなどの入力部３５と、液晶ディスプレイなどの表示部３６と、ネットワークＮに接続するための通信部３７と、外部のプリンタや記録媒体などにデータを出力する出力部３８とを備える。
【００２６】
図３は、拠点サーバ２３及びセンターサーバ３０の機能的な構成例を示すブロック図である。図３（Ａ）は拠点サーバ２３を示し、図３（Ｂ）はセンターサーバ３０を示す。図３（Ａ）に示すように、拠点サーバ２３は、校正用データ算出手段２３ａと、アップロード手段２３ｂと、記憶手段２３ｃとを備える。校正用データ算出手段２３ａは、分光放射輝度計１２によりホワイトバランス調整を行った標準サンプル１１に対して、分光放射輝度計１２による第１の計測データｄ１と、生産拠点Ａのカラーアナライザ２２による第２の計測データｄ２とのずれに基づく校正用データｄ３を算出する。アップロード手段２３ｂは、生産拠点Ａで生産される製品２１に対してカラーアナライザ２２によりホワイトバランス調整を行ったときの拠点計測データｄ４及び校正用データｄ３をセンターサーバ３０にアップロードする。記憶手段２３ｃは、第１の計測データｄ１、第２の計測データｄ２、校正用データｄ３、及び拠点計測データｄ４を記憶する。
【００２７】
なお、アップロード手段２３ｂによってセンターサーバ３０にアップロードされるデータのうち、拠点計測データｄ４については、製品２１の生産量に応じてデータが生成され、定期的にアップロードされる。しかし、校正用データｄ３については、一度アップロードしてしまうと、開発部門１０でホワイトバランスの再調整を行わない限り、同じデータを使用するため、次回以降は必ずしもアップロードする必要はない。
【００２８】
上記において、校正用データ算出手段２３ａとしての機能は、ＣＰＵによって実現され、アップロード手段２３ｂとしての機能は、ＣＰＵ及び通信部によって実現されるものとする。具体的には、校正用データ算出手段２３ａ及びアップロード手段２３ｂとしての機能を実現するための第１の計測データ校正用プログラムが記憶部に格納されており、ＣＰＵが記憶部からＲＡＭへ第１の計測データ校正用プログラムを読み出し、ＲＡＭ上で読み出した第１の計測データ校正用プログラムを実行する。
【００２９】
また、図３（Ｂ）に示すように、センターサーバ３０は、拠点サーバ２３からアップロードされた拠点計測データｄ４及び校正用データｄ３を生産拠点毎に記憶する記憶手段３０ａと、端末装置１３からの要求に応じて、記憶手段３０ａに記憶されている拠点計測データｄ４を校正用データｄ３により校正するデータ校正手段３０ｂと、データ校正手段３０ｂによる校正後の拠点計測データｄ４′を端末装置１３に送信するデータ送信手段３０ｃとを備える。なお、ここでは、生産拠点Ａの拠点サーバ２３について例示しているが、センターサーバ３０は、他の生産拠点Ｂ，Ｃ，…の各拠点サーバからアップロードされた拠点計測データｄ４及び校正用データｄ３についても同様に記憶する。
【００３０】
上記において、データ校正手段３０ｂとしての機能は、ＣＰＵ３１（図２）によって実現され、データ送信手段３０ｃとしての機能は、ＣＰＵ３１及び通信部３７によって実現されるものとする。具体的には、データ校正手段３０ｂ及びデータ送信手段３０ｃとしての機能を実現するための第２の計測データ校正用プログラムが記憶部３４に格納されており、ＣＰＵ３１が記憶部３４からＲＡＭ３２へ第２の計測データ校正用プログラムを読み出し、ＲＡＭ３２上で読み出した第２の計測データ校正用プログラムを実行する。なお、記憶手段３０ａは、図２の記憶部３４に相当する。
【００３１】
ここで、校正用データ算出手段２３ａによる具体的な処理例について説明する。校正用データ算出手段２３ａは、第１の計測データｄ１に含まれる輝度データ及び色度データから第１の三刺激値を算出すると共に、第２の計測データｄ２に含まれる輝度データ及び色度データから第２の三刺激値を算出し、第１の三刺激値と第２の三刺激値とのずれに基づく補正係数を、校正用データｄ３として算出する。つまり、第１の計測データｄ１は、標準サンプル１１に対して、分光放射輝度計１２により計測された輝度Ｙ１′（ｃｄ／ｍ2）、色度ｘ１，ｙ１を含んでおり、これらの輝度Ｙ１′及び色度ｘ１，ｙ１から、第１の三刺激値Ｘ１，Ｙ１，Ｚ１を求める。また、第２の計測データｄ２は、標準サンプル１１に対して、カラーアナライザ２２により計測された輝度Ｙ２′（ｃｄ／ｍ2）、色度ｘ２，ｙ２を含んでおり、これらの輝度Ｙ２′及び色度ｘ２，ｙ２から、第２の三刺激値Ｘ２，Ｙ２，Ｚ２を求める。
【００３２】
ここで、輝度Ｙ′、色度ｘ，ｙから三刺激値Ｘ，Ｙ，Ｚを算出する場合、以下の式（１）を用いることができる。
Ｘ＝ｘ×Ｙ′／ｙ
Ｙ＝Ｙ′                                式（１）
Ｚ＝（１−ｘ−ｙ）×Ｙ′／ｙ
【００３３】
上記より、第１の三刺激値Ｘ１，Ｙ１，Ｚ１と、第２の三刺激値Ｘ２，Ｙ２，Ｚ２とを算出し、Ｘ１／Ｘ２より補正係数ａ、Ｙ１／Ｙ２より補正係数ｂ、Ｚ１／Ｚ２より補正係数ｃをそれぞれ求める。これらの補正係数ａ，ｂ，ｃは、校正用データｄ３の一例として示すことができる。なお、本例の補正係数は、分光放射輝度計１２とカラーアナライザ２２それぞれの三刺激値のずれ分に基づいて算出したが、分光放射輝度計１２とカラーアナライザ２２それぞれの輝度Ｙ′及び／又は色度ｘ，ｙのずれ分に基づいて算出してもよい。
【００３４】
このように、分光放射輝度計によりホワイトバランス調整を行った標準サンプルに対して、分光放射輝度計による第１の計測データと、各生産拠点のカラーアナライザによる第２の計測データとのずれに基づく校正用データを算出することができるため、複数の生産拠点と開発部門等の間で、ホワイトバランス調整に使用する計測器が異なっている場合でも、計測器のずれ分を校正してより精度の高い計測データを提供することができる。
【００３５】
図４〜図６は、端末装置１３からセンターサーバ３０にアクセスして拠点計測データを取得する方法の一例を説明するための図である。なお、以下では、開発部門１０の端末装置１３を例示して説明するが、例えば、品質管理部門１０′の端末装置１３′であってもよく、その他の部門の端末装置であってもよい。まず、端末装置１３は、開発担当者の操作に従って、端末装置１３にインストールされている計測データ表示用アプリケーション（図示せず）を実行し、センターサーバ３０にアクセスする。この計測データ表示用アプリケーションは例えばＷｅｂブラウザとしての機能を有している。これにより、端末装置１３は、図４に示すモデル名検索画面４０を表示する。
【００３６】
図４のモデル名検索画面４０は、検索条件として、例えば、モデル名一部入力欄４１、生産拠点入力欄４２、生産ライン入力欄４３、年入力欄４４、月入力欄４５を有する。開発担当者は、例えば、生産拠点が”Ａ”、モデル名が“Ａ３ＸＸＸＷＺ”の拠点計測データを取得したい場合、取得対象のモデル名の一部（全体でもよい）を、検索キーワードして、モデル名一部入力欄４１に入力する。ここでは“Ａ３”を入力する。次に、取得対象の生産拠点を、生産拠点入力欄４２に入力する。ここでは“Ａ”を入力する。以下、必要に応じて、取得対象の生産ライン、生産年、生産月などを入力する。
【００３７】
図４において、開発担当者は、上記検索条件の入力が完了すると、カーソルを操作して検索ボタン４６を押下する。これにより、センターサーバ３０では検索条件に合ったモデル名、生産拠点を検索し、端末装置１３ではその検索結果をモデル名一覧４７に表示する。ここでは、モデル名が“Ａ３ＸＸＸＷＺ”、“Ａ３ＹＹＹＷＺ”の２つのモデルが表示される。そして、開発担当者は、取得対象モデルである“Ａ３ＸＸＸＷＺ”にカーソル４８を合わせ、クリック操作すると、端末装置１３は、図５に示すデータ取得条件設定画面５０を表示する。
【００３８】
図５において、データ取得条件設定画面５０は、取得対象モデル名表示欄５１、データ校正チェックボックス５２、グラフ表示ボタン５３、ダウンロードボタン５４を有する。取得対象モデル名表示欄５１には、図４のモデル名検索画面４０で指定された取得対象モデル名“Ａ３ＸＸＸＷＺ”と、生産拠点“Ａ”とが表示される。データ校正チェックボックス５２は、デフォルトではチェック状態とされているため、開発担当者がチェックを外さない限り、前述した本発明による計測データ校正処理が実行される。すなわち、センターサーバ３０では、生産拠点“Ａ”で生産されたモデル名“Ａ３ＸＸＸＷＺ”について、カラーアナライザによりホワイトバランス調整を行ったときの拠点計測データの校正処理が実行される。
【００３９】
なお、図５のデータ取得条件設定画面５０では、拠点計測データの取得対象とした製品について、期間、台数などを指定できるようにしてもよい。具体的には、例えば、２０１２年４月１日から、２０１２年９月３０日までの期間を指定した場合、当該期間に生産された製品がデータ取得の対象となる。また、台数を例えば１０００台と指定した場合、生産開始から１０００台分の製品、あるいは、指定した期間の１０００台分の製品がデータ取得の対象となる。
【００４０】
開発担当者は、図５のデータ取得条件設定画面５０上でカーソルを操作して、グラフ表示ボタン５３またはダウンロードボタン５４を押下する。グラフ表示ボタン５３が押下されると、端末装置１３には、校正後の拠点計測データに基づいて図６に示すようなグラフが表示される。また、ダウンロードボタン５４が押下されると、校正後の拠点計測データがセンターサーバ３０から端末装置１３にダウンロードされる。
【００４１】
図６は、端末装置１３に表示されるグラフの一例を示す図である。図６（Ａ）は計測データ校正後の色度グラフを示し、図中、６１はホワイトバランス調整後の最大輝度階調の色度、６２はホワイトバランス調整前の最大輝度階調の色度、縦軸の単位は色度（ｙ）、横軸の単位は色度（ｘ）である。また、図６（Ｂ）は計測データ校正後の輝度グラフを示し、図中、６３はホワイトバランス調整後の輝度、６４はホワイトバランス調整前の輝度、縦軸の単位は頻度（％）、横軸の単位は輝度（ｃｄ／ｍ2）である。
【００４２】
すなわち、図６（Ａ），（Ｂ）のグラフはいずれも、生産拠点“Ａ”で生産される製品２１（モデル名“Ａ３ＸＸＸＷＺ”）に対して、ホワイトバランス調整を行う前にカラーアナライザ２２により計測された拠点計測データを校正したデータと、ホワイトバランス調整を行った後にカラーアナライザ２２により計測された拠点計測データを校正したデータとに基づいて生成されている。このときの校正には、拠点サーバ２３の校正用データ算出手段２３ａで算出した校正用データｄ３が使用される。
【００４３】
図７は、本発明による計測データ校正方法の一例を説明するためのフロー図である。本例では、図１のシステム構成に基づいて説明する。まず、拠点サーバ２３は、分光放射輝度計１２によりホワイトバランス調整を行った標準サンプル１１に対して、分光放射輝度計１２による第１の計測データと、生産拠点毎のカラーアナライザ２２による第２の計測データとのずれに基づく校正用データを算出する（ステップＳ１）。次に、拠点サーバ２３は、生産拠点で生産される製品２１に対してカラーアナライザ２２によりホワイトバランス調整を行ったときの拠点計測データ及び校正用データをセンターサーバ３０にアップロードする（ステップＳ２）。
【００４４】
そして、センターサーバ３０は、拠点サーバ２３からアップロードされた拠点計測データ及び校正用データを生産拠点毎に記憶する（ステップＳ３）。次に、センターサーバ３０は、端末装置１３からの要求が有ったか否かを判定し（ステップＳ４）、端末装置１３から要求がないと判定した場合（ＮＯの場合）、ステップＳ４で待機状態に移行する。また、ステップＳ４において、端末装置１３から要求が有ったと判定した場合（ＹＥＳの場合）、端末装置１３からの要求に応じて、記憶した拠点計測データを校正用データにより校正し（ステップＳ５）、校正後の拠点計測データを端末装置１３に送信する（ステップＳ６）。
【００４５】
これまで本発明の一実施形態として計測データ校正システムを例示して説明したが、本発明は、計測データ校正システムによる計測データ校正方法の形態、あるいは、計測データ校正方法をコンピュータに実行させるためのプログラムの形態、あるいは、このプログラムを記録したコンピュータ読み取り可能な記録媒体の形態としてもよい。
【００４６】
上記の記録媒体としては、具体的には、ＣＤ−ＲＯＭ（−Ｒ／−ＲＷ）、光磁気ディスク、ＨＤ（ハードディスク）、ＤＶＤ−ＲＯＭ（−Ｒ／−ＲＷ／−ＲＡＭ）、ＦＤ（フレキシブルディスク）、フラッシュメモリ、メモリカードや、メモリスティック及びその他各種ＲＯＭやＲＡＭ等が想定でき、これら記録媒体に上述した本発明の計測データ校正方法をコンピュータに実行させるためのプログラムを記録して流通させることにより、当該方法の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明による計測データ校正方法を実行することができる。
【００４７】
以上説明したように、本発明に係る計測データ校正システムは、複数の生産拠点それぞれに設置された各拠点サーバと、センターサーバと、端末装置とがネットワークを介して接続された計測データ校正システムであって、前記各拠点サーバは、基準計測器によりホワイトバランス調整を行った所定の表示装置に対して、前記基準計測器による第１の計測データと、生産拠点毎の拠点計測器による第２の計測データとのずれに基づく校正用データを算出する校正用データ算出手段と、生産拠点で生産される表示装置に対して前記拠点計測器によりホワイトバランス調整を行ったときの拠点計測データ及び前記校正用データを前記センターサーバにアップロードするアップロード手段とを備え、前記センターサーバは、前記各拠点サーバからアップロードされた前記拠点計測データ及び前記校正用データを生産拠点毎に記憶する記憶手段と、前記端末装置からの要求に応じて、前記記憶手段に記憶されている前記拠点計測データを前記校正用データにより校正するデータ校正手段と、該データ校正手段による校正後の前記拠点計測データを前記端末装置に送信するデータ送信手段とを備える。
【００４８】
また、前記第１の計測データ及び前記第２の計測データは、前記所定の表示装置の少なくとも輝度データ及び色度データを含み、前記拠点計測データは、前記生産拠点で生産される表示装置のホワイトバランス調整前後の少なくとも輝度データ及び色度データを含むことが望ましい。
【００４９】
また、前記校正用データ算出手段は、前記第１の計測データに含まれる輝度データ及び色度データから第１の三刺激値を算出すると共に、前記第２の計測データに含まれる輝度データ及び色度データから第２の三刺激値を算出し、前記第１の三刺激値と前記第２の三刺激値とのずれに基づく補正係数を、前記校正用データとして算出することが望ましい。
【００５０】
また、前記基準計測器は、分光放射輝度計であり、前記拠点計測器は、カラーアナライザであることが望ましい。
【００５１】
本発明に係る計測データ校正方法は、複数の生産拠点それぞれに設置された各拠点サーバと、センターサーバと、端末装置とがネットワークを介して接続された計測データ校正システムによる計測データ校正方法であって、前記各拠点サーバが、基準計測器によりホワイトバランス調整を行った所定の表示装置に対して、前記基準計測器による第１の計測データと、生産拠点毎の拠点計測器による第２の計測データとのずれに基づく校正用データを算出する校正用データ算出ステップと、生産拠点で生産される表示装置に対して前記拠点計測器によりホワイトバランス調整を行ったときの拠点計測データ及び前記校正用データを前記センターサーバにアップロードするアップロードステップとを備え、前記センターサーバが、前記各拠点サーバからアップロードされた前記拠点計測データ及び前記校正用データを生産拠点毎に記憶手段に記憶するステップと、前記端末装置からの要求に応じて、前記記憶手段に記憶されている前記拠点計測データを前記校正用データにより校正するデータ校正ステップと、該データ校正ステップにて校正後の前記拠点計測データを前記端末装置に送信するデータ送信ステップとを備える。
【００５２】
以上により、複数の生産拠点と開発部門等の間で、ホワイトバランス調整に使用する計測器が異なっている場合でも、計測器のずれ分を校正してより精度の高い計測データを提供することができる。
【符号の説明】
【００５３】
１０…開発部門、１０′…品質管理部門、１１…標準サンプル、１２…分光放射輝度計、１３，１３′…端末装置、２０…生産拠点Ａ、２１…製品、２２…カラーアナライザ、２３…拠点サーバ、２３ａ…校正用データ算出手段、２３ｂ…アップロード手段、２３ｃ…記憶手段、３０…センターサーバ、３０ａ…記憶手段、３０ｂ…データ校正手段、３０ｃ…データ送信手段、３１…ＣＰＵ、３２…ＲＡＭ、３３…ＲＯＭ、３４…記憶部、３５…入力部、３６…表示部、３７…通信部、３８…出力部、４０…モデル名検索画面、５０…データ取得条件設定画面。
【図１】
2014087037.tif 000003
【図２】
2014087037.tif 000004
【図３】
2014087037.tif 000005
【図４】
2014087037.tif 000006
【図５】
2014087037.tif 000007
【図６】
2014087037.tif 000008
【図７】
2014087037.tif 000009